(57)【特許請求の範囲】
【請求項１】
ラジェット式のフックを設けたガイドレールを備えた外部被覆体と、躯体の既に施工の完了した床あるいは梁鉄骨等の上に位置させて、アンカーボルト等の固定金具でこれを固定することができるようになっている支持ブラケットと、支持ブラケットに下端を軸支し、ピストンストロークによって、外部被覆体をガイドレールを介して押し上げるクライミングシリンダとからなり、クライミングシリンダの上端と支持ブラケットとに前記ガイドレールのラジェット式のフックへの係止ピンを有する係合体を設け、ガイドレールはフックを形成するプレートを溝形鋼またはでアングル材で挟み込み、ボルトによる接合で、前記溝形鋼やアングル材はフックを形成するプレートの左右に突設する上下方向へのフランジを形成し、クライミングシリンダの上端に設ける係合体にはこのフランジへのチャンネル状ガイド部材を設け、前記チャンネル状ガイド部材に滑り材としてナイロン樹脂の溝付き成形品を内蔵させ、支持ブラケットにもガイドレールのフランジへのガイド部材を開閉可能に設け、ガイド部材は先端が鉤形に湾曲する開閉アームによるヤットコ式のもので、支持ブラケットの先端および前記開閉アームの鉤形に湾曲する先端内側に滑り部材として固体潤滑材が鉄板に貼り合わされたオイレスプレートを配設したことを特徴とする工事現場外周養生ユニット。
【発明の詳細な説明】
【技術分野】
【０００１】
本発明は、工事現場外周養生ユニットに関するものである。
【背景技術】
【０００２】
従来より、高層ビル等の建築工事において、例えば、鉄骨建方が先行してまだカーテンウォールが取り付けられていない階のように、外壁が設置若しくは構築されていない階の外周面を養生する手段としては、枠体に養生ネットを張った外周養生枠を、柱又は梁に取り付けた仮設ブラケット等にボルトやナットを用いて固定するものがある。
【０００３】
下記特許文献はこのような養生シート，足場，型枠等、建築物の周囲を覆う外部被覆体を、低コストでかつ容易に設置・盛り替えすることのできるものとして提案されたもので、図２５に示すように、外部被覆体Ａに、上下方向に延在するガイドレール１０と、このガイドレール１０に沿って摺動自在な支持ブラケット１１と、ガイドレール１０，支持ブラケット１１をガイドさせるためのガイド機構と、ガイド機構の作動を制御する制御装置とを備える構成とした。そして、外部被覆体Ａを盛り替えるときには、ガイド機構で外部被覆体Ａを支持ブラケット１１でガイドして盛り替えた後、支持ブラケット１１を、順次一台ずつガイド機構で盛り替える構成である。
【特許文献１】特開平７−３１７３０４号公報
【０００４】
外部被覆体Ａは、構築中の躯体１の外周部を覆うためのものであり、例えば枠組み足場２と、この枠組み足場２の外周面に張設された、例えばメッシュシート、あるいはビニールシート等からなる養生シート３とを主要構成とする。
【０００５】
この枠組み足場２には、周方向一定間隔毎に、上下方向に延在し、かつ枠組み足場２の上下方向の長さと同じ長さを有したフレーム６が配設され、各フレーム６のトラス部材６ａ，６ａ間には、水平方向に延在するＨ型鋼からなる水平部材７，７，…が、上下方向に一定間隔で取り付けられている。
【０００６】
これら水平部材７，７，…の一面側には、上下方向に例えば躯体１の二階分程度の長さを有した、断面視Ｉ型のガイドレール１０が、フレーム６と平行に取り付けられている。
【０００７】
このガイドレール１０には支持ブラケット（支持部材）１１が摺動自在に取り付けられていて、支持ブラケット１１の上下２箇所にガイドレール１０に噛み合う摺動部１１ａ，１１ａが備えられる。
【０００８】
支持ブラケット１１は、基部（一端部）１１ｂの上下から水平方向に向けて延出する水平部材１２ａ，１２ｂと、これら水平部材１２ａ，１２ｂの間に上下方向および斜め方向に延在するよう取り付けられた補強部材１３とから形成されている。
【０００９】
支持ブラケット１１の基部１１ｂ側および中間部１１ｃは、基部１１ｂよりも先端部（他端部）１１ｄ側の水平部材１２ａ，１２ｂが、水平方向に、二段階に折畳み可能である。
【００１０】
支持ブラケット１１は、水平部材１２ｂの下面を、躯体１の既に施工の完了した床１ａあるいは梁鉄骨等の上に位置させて、アンカーボルト等の固定金具でこれを固定することができる。
【００１１】
ガイド機構（ガイド手段）１６は、フック（係止部材）１４ａを備えたチェーン１４と、このチェーン１４を巻き揚げるための電動のチェーンブロック１５とからなる。
【００１２】
ガイド機構１６を制御して、各チェーンブロック１５でチェーン１４を一斉に巻き揚げると、フレーム６、すなわち外部被覆体Ａが、躯体１に固定された支持ブラケット１１に反力を得て上昇していく。
【００１３】
次いで、支持ブラケット１１を水平方向に折畳み、上昇時に躯体１と干渉しないようにし、チェーンブロック１５でチェーン１４を巻き揚げて支持ブラケット１１を一階分上昇させる。
【００１４】
引き続き、支持ブラケット１１を伸展させて、躯体１のｎ＋１階の床１ａ上に載置しこれを固定する。
【００１５】
また、支持ブラケット１１とガイドレール１０とを固定する。この後、チェーンブロック１５でチェーン１４を繰り出して、チェーン１４の張力を緩めて取り外すことによって、支持ブラケット１１の盛り替え作業が完了する。一台の支持ブラケット１１を盛り替える間、外部被覆体Ａは、他の支持ブラケット１１で支持されている。
【００１６】
そして、支持ブラケット１１を一台ずつ上方に盛り替えていき、全ての支持ブラケット１１を盛り替えた時点で、外部被覆体Ａの盛り替え作業が完了する。
【発明の概要】
【発明が解決しようとする課題】
【００１７】
前特許文献１に示す外部被覆体およびその盛り替え方法は、ガイド機構（ガイド手段）は、チェーンによる巻き揚げであり、不安定なものになりがちである。
【００１８】
また、支持ブラケットも折畳み可能な構成にするなど機構が複雑で大掛かりなものである。
【００１９】
本発明の目的は前記従来例の不都合を解消し、クライミングシリンダを用いて簡単かつ確実に、しかも安全に外部被覆体をシフトさせることができる工事現場外周養生ユニットを提供することにある。
【課題を解決するための手段】
【００２０】
前記目的を達成するため請求項１記載の本発明は、ラジェット式のフックを設けたガイドレールを備えた外部被覆体と、躯体の既に施工の完了した床あるいは梁鉄骨等の上に位置させて、アンカーボルト等の固定金具でこれを固定することができるようになっている支持ブラケットと、支持ブラケットに下端を軸支し、ピストンストロークによって、外部被覆体をガイドレールを介して押し上げるクライミングシリンダとからなり、クライミングシリンダの上端と支持ブラケットとに前記ガイドレールのラジェット式のフックへの係止ピンを有する係合体を設け、ガイドレールはフックを形成するプレートを溝形鋼またはでアングル材で挟み込み、ボルトによる接合で、前記溝形鋼やアングル材はフックを形成するプレートの左右に突設する上下方向へのフランジを形成し、クライミングシリンダの上端に設ける係合体にはこのフランジへのチャンネル状ガイド部材を設け、前記チャンネル状ガイド部材に滑り材としてナイロン樹脂の溝付き成形品を内蔵させ、支持ブラケットにもガイドレールのフランジへのガイド部材を開閉可能に設け、ガイド部材は先端が鉤形に湾曲する開閉アームによるヤットコ式のもので、支持ブラケットの先端および前記開閉アームの鉤形に湾曲する鉤形に湾曲する先端内側に滑り部材として固体潤滑材が鉄板に貼り合わされたオイレスプレートを配設したことを要旨とするものである。
【００２１】
請求項１記載の本発明によれば、外部被覆体にはラジェット式のフックを設けたガイドレールを備えられ、支持ブラケットで軸支、すなわち、枢動式にヒンジ付けされるクライミングシリンダの上端の係合体がガイドレールのフックに係止して、この状態でクライミングシリンダを伸長すれば、外部被覆体をガイドレールともに押上ける。
【００２２】
また、支持ブラケットの係合体をガイドレールのフック（前記フックよりも下方の）に係止して外部被覆体の荷重を受止める。
【００２３】
クライミングシリンダを縮小すれば、クライミングシリンダの上端の係合体がガイドレールのフックから外れ、フックを乗り越え、下方のフックに係止する。
【００２４】
次いでクライミングシリンダを伸長すれば、外部被覆体をガイドレールともに押上ける。この時、外部被覆体の荷重を受止めていた支持ブラケットの係合体はガイドレールのフックより自動的に外れ、フックを乗り越え、上方のフックに至る。
【００２５】
かかる工程をくり返すことで、外部被覆体を順次押し上げることができる。
【００２６】
さらに、クライミングシリンダの上端に設ける係合体はガイドレールにガイドされる走行体として構成されるので、この係合体は安定してガイドレールに沿って移動させることができる。
【００２７】
また、支持ブラケット部分もガイドレールをガイドして安定してガイドレールに沿って移動させることができ、しかも、ガイド部材は開閉可能なので支持ブラケットを盛り替える際にも簡単にガイドレールに係合することができる。
【発明の効果】
【００２８】
以上述べたように本発明の工事現場外周養生ユニットは、クライミングシリンダを用いて簡単かつ確実に、しかも安全に外部被覆体をシフトさせることができるものである。
【発明を実施するための形態】
【００２９】
以下、本発明の実施の形態を図面に基づいて詳細に説明する。図１は本発明の工事現場外周養生ユニットの１実施形態を示す側面図、図２は同上平面図で、本発明の工事現場外周養生ユニットは、外部被覆体２０と、これを押し上げるクライミングシリンダ２３と、クライミングシリンダ２３を支える支持ブラケット２４とからなる。
【００３０】
外部被覆体２０は、ネットあるいはビニールシート等からなる養生シート２６を貼り巡らせた枠体２７であり、ネットの場合、１０ｍｍ目、１５ｍｍ目の養生金網等を風荷重により選定する。
【００３１】
枠体２７は、図１２に示すメインフレーム２７ｄと図１３に示すサブフレーム２７ｅとを横並びで組み合わせてなり、図５に示すように２連のメインフレーム２７ｄの左右にそれぞれサブフレームが位置し、かつ、上下に４段（１段の階高は７５００）になるようにジョイントプレート２８により接続したもので、一番上の段には図１４に示すような吊りピース２９を備えてクレーンで吊り下ろすことができるようにする。
【００３２】
図１２、図１５に示すようにメインフレーム２７ｄはトラス部材２７ａや水平部材２７ｂを組み込み、また、枠組み足場を兼用するものとして足場板２７ｃを設置している。
【００３３】
外部被覆体２０にはラジェット式のフック２２を設けたガイドレール２１を枠体２７の上下方向に沿って設けた。このフック２２は下向き開口の波型で、上辺は後述の係止ピンが滑り降りることができるような山型となっていて上下に適宜間隔で設けられる。
【００３４】
図１６、図１７はかかるガイドレール２１の構成を示すもので、図１６のガイドレール２１は外部被覆体２０の自重が大きく重い時のもので、フック２２を形成するプレート３３自体には強い材質のプレート３３を使用し、このプレート３３を溝形鋼３０で挟み込む。
【００３５】
図１７のガイドレール２１は外部被覆体２０の自重が軽い時であり、フック２２を形成するプレート３３はアングル材３１で挟み込むようにした。
【００３６】
いずれの場合も性質の異なる鉄材との溶接は難しいのでボルト３２による接合となり、前記溝形鋼３０やアングル材３１はフック２２を形成するプレート３３の左右に突設する上下方向へのフランジ３４を形成するものとなる。
【００３７】
支持ブラケット２４は型鋼を２連並べた水平部材であり、躯体１の既に施工の完了した床１ａあるいは梁鉄骨等の上に位置させて、強力ボルトアンカーボルト等の固定金具でこれを固定することができる。
【００３８】
クライミングシリンダ２３はピストンストロークによって、ガイドレール２１を介して外部被覆体２０を押し上げるものであり、その下端は支持ブラケット２４に軸支され、また、クライミングシリンダ２３の上端にはガイドレール２１のラジェット式のフック２２への係止ピン３８を有する係合体３７を設けた。
【００３９】
前記クライミングシリンダ２３の支持ブラケット２４への軸支は、図２１〜２４に示すように支持ブラケット２４に突設した切欠き３５aを有する軸受け係止片３５、３５で回動軸３６を受けるようにした。
【００４０】
支持ブラケット２４にもガイドレール２１のラジェット式のフック２２への係止ピン５１を有する係合体５０を設けた。
【００４１】
前記係合体３７は前記ガイドレール２１のフランジ３４をガイドとして滑動するチャンネル体３９をガイド部材とする走行体４０として形成し、係止ピン３８を設けたリンク片４１を組み込んだものであり、リンク片４１はこの走行体４０に一端がピン４２軸着され、他端に設ける係止ピン３８は走行体４０に形成する湾曲長孔５６に収まる。
【００４２】
チャンネル体３９は取付用の輪体５５を上下に有し、この輪体５５を走行体４０から突出する円柱状突起に嵌合させることで、走行体４０に装着する。
【００４３】
前記チャンネル体３９は金属製枠３９ｂに滑り材としてナイロン樹脂の溝付き成形品３９ａを内蔵させた。
【００４４】
また、ピン４２にはリンク片４１を傾倒させるように付勢するコイルバネ４３を介在させる。
【００４５】
係合体５０は支持ブラケット２４の軸受け片４４にピン４５で軸着する回転自在の略三角形状のカム片４７によるもので、このピン４５にも係合体５０を傾倒させるように付勢するコイルバネ４６を介在させた。
【００４６】
カム片４７の三角頂部にこのカム片４７が傾倒した時に支持ブラケット２４に上面に接合する脚台板４８を取り付ける。
【００４７】
支持ブラケット２４にもガイドレール２１のフランジ３４へのガイド部材４９を開閉可能に設けるが、このガイド部材４９は先端が鉤形に湾曲する開閉アーム４９ａによるヤットコ式のものである。
【００４８】
支持ブラケット２４の先端および開閉アーム４９ａの鉤形に湾曲する先端内側、すなわち、ガイドレール２１に接する面側に滑り部材として固体潤滑材が鉄板に貼り合わされたオイレスプレート５２を配設した。
【００４９】
次に使用法について説明する。図１、図２に示すように支持ブラケット２４は躯体１の既に施工の完了した床１ａあるいは梁鉄骨等の上に強力ボルトアンカーボルト等で固定されており、この支持ブラケット２４に設けた係合体５０の係止ピン５１はラジェット式のフック２２へ係止している。
【００５０】
支持ブラケット２４にクライミングシリンダ２３を立設し、ガイドレール２１に対してガイド部材をセットする。
【００５１】
ガイド部材のうち、クライミングシリンダ２３の上端のチャンネル体３９は輪体５５を走行体４０の円柱状突起に嵌合させ、かつピン（図示せず）で係止めて走行体４０に取付け、これをフランジ３４に嵌める。
【００５２】
また、支持ブラケット２４側のガイド部材４９は開閉アーム４９ａを閉じてガイドレール２１を左右から抱え込む。
【００５３】
クライミングシリンダ２３の上端の係合体３７の係止ピン３８をガイドレール２１のラジェット式のフック２２に引っ掛け、クライミングシリンダ２３を伸長すれば、外部被覆体２０を押し上げることができる。この係止ピン３８のフック２２への係合はコイルバネ４３がリンク片４１を傾倒させることで自動的に行うことができる。
【００５４】
図６〜図８はこの外部被覆体２０を押し上げの工程を示すもので、図６に示すように、クライミングシリンダ２３を伸長に伴い外部被覆体２０が押し上げられるとガイドレール２１も上昇し、ラジェット式のフック２２へ係止した支持ブラケット２４の係止ピン５１は抜け出し、係合体５０はそれまで引っ掛かっていたフック２２の下方のフック２２へと移動する。
【００５５】
移動の際には係合体５０の係止ピン５１はそれまで引っ掛かっていたフック２２の下方のフック２２の山型となっている上辺を乗り越え、このフック２２の内側に収まる。
【００５６】
このように係止ピン５１はそれまで引っ掛かっていたフック２２の下方のフック２２の山型となっている上辺を乗り越える場合は、カム片４７は回転し、図２３に示すようにコイルバネ４６の作用で元の状態に戻り、脚台板４８により支持ブラケット２４に立設される。
【００５７】
前記押し上げられた外部被覆体２０はこの係合体５０で支持ブラケット２４を介して荷重を受けられ、クライミングシリンダ２３を縮小すると、ガイドレール２１のラジェット式のフック２２に引っ掛けられていた上端の係合体３４はそれまで引っ掛かっていたフック２２の下方のフック２２へと移動する。
【００５８】
このクライミングシリンダ２３における係合体３４の移動の際には支持ブラケット２４の係合体５０の係止ピン５１が外部被覆体２０の荷重を受けるものであり、係合体３４はそれまで引っ掛かっていたフック２２の下方のフック２２の山型となっている上辺を乗り越え、この乗り越えたフック２２の内側に収まるので、再度、クライミングシリンダ２３を伸ばしての押上が可能状態となる。
【００５９】
かかる工程をくり返すことで、外部被覆体２０を順次押し上げることができる。
【図面の簡単な説明】
【００６０】
【図１】本発明の工事現場外周養生ユニットの１実施形態を示す側面図である。
【図２】本発明の工事現場外周養生ユニットの１実施形態を示す平面図である。
【図３】外部被覆体の正面図である。
【図４】外部被覆体の側面図である。
【図５】外部被覆体の平面図である。
【図６】外部被覆体の押し上げを示す第1工程の側面図である。
【図７】外部被覆体の押し上げを示す第２工程の側面図である。
【図８】外部被覆体の押し上げを示す第３工程の側面図である。
【図９】クライミングシリンダの上端の係合体での外部被覆体の押し上げを示す第１工程の側面図である。
【図１０】クライミングシリンダの上端の係合体での外部被覆体の押し上げを示す第２工程の側面図である。
【図１１】クライミングシリンダの上端の係合体での外部被覆体の押し上げを示す第３工程の側面図である。
【図１２】外部被覆体のメインフレームの側面図である。
【図１３】外部被覆体のサブフレームの側面図である。
【図１４】吊りピースの側面図である。
【図１５】支持ブラケットの係合を示す側面図である。
【図１６】ガイドレールの１例を示す説明図である。
【図１７】ガイドレールの他例を示す説明図である。
【図１８】クライミングシリンダの上端の係合体の側面図である。
【図１９】クライミングシリンダの上端の係合体の正面図である
【図２０】クライミングシリンダの上端の係合体の平面図である
【図２１】支持ブラケットの係合体の荷重受け時の側面図である。
【図２２】支持ブラケットの係合体の荷重受け時の平面図である。
【図２３】支持ブラケットの係合体の荷重受け前の側面図である。
【図２４】支持ブラケットのガイド部材の開き状態の平面図である。
【図２５】従来例を示す側面図である。
【符号の説明】
【００６１】
１…躯体                  １ａ…床
２…枠組み足場            ３…養生シート
６…フレーム              ６ａ，６ａ…トラス部材
７…水平部材              １０…ガイドレール
１１…支持ブラケット（支持部材）
１１ａ…摺動部            １１ｂ…基部（一端部）
１１ｃ…中間部            １１ｄ…先端部（他端部）
１２ａ，１２ｂ…水平部材  １３…補強部材
１４…チェーン            １４ａ…フック（係止部材）
１５…チェーンブロック    １６…ガイド機構（ガイド手段）
Ａ…外部被覆体
２０…外部被覆体          ２１…ガイドレール
２２…フック              ２３…クライミングシリンダ
２４…支持ブラケット      ２６…養生シート
２７…枠体                ２７ａ…トラス部材
２７ｂ…水平部材          ２７ｃ…足場板
２７ｄ…メインフレーム    ２７ｅ…サブフレーム
２８…ジョイントプレート
２９…吊りピース          ３０…溝形鋼
３１…アングル材          ３２…ボルト
３３…プレート            ３４…フランジ
３５…係止片              ３５ａ…切欠き
３６…回動軸              ３７…係合体
３８…係止ピン            ３９…チャンネル体
３９ａ…ナイロン樹脂の溝付き成形品
３９ｂ…金属製枠          ４０…走行体
４１…リンク片            ４２…ピン
４３…コイルバネ          ４４…軸受け片
４５…ピン                ４６…コイルバネ
４７…カム片              ４８…脚台板
４９…ガイド部材          ４９ａ…開閉アーム
５０…係合体              ５１…係止ピン
５２…オイレスプレート    ５３…車輪
５４…プレート            ５５…輪体
５６…湾曲長孔
【図１】
0006364044.tif 000002
【図２】
0006364044.tif 000003
【図３】
0006364044.tif 000004
【図４】
0006364044.tif 000005
【図５】
0006364044.tif 000006
【図６】
0006364044.tif 000007
【図７】
0006364044.tif 000008
【図８】
0006364044.tif 000009
【図９】
0006364044.tif 000010
【図１０】
0006364044.tif 000011
【図１１】
0006364044.tif 000012
【図１２】
0006364044.tif 000013
【図１３】
0006364044.tif 000014
【図１４】
0006364044.tif 000015
【図１５】
0006364044.tif 000016
【図１６】
0006364044.tif 000017
【図１７】
0006364044.tif 000018
【図１８】
0006364044.tif 000019
【図１９】
0006364044.tif 000020
【図２０】
0006364044.tif 000021
【図２１】
0006364044.tif 000022
【図２２】
0006364044.tif 000023
【図２３】
0006364044.tif 000024
【図２４】
0006364044.tif 000025
【図２５】
0006364044.tif 000026